(57)【要約】【課題】、十分な冷却力を備え、冷却したい個所を的確に冷却することができると共に、複数回にわたって使用することができる歯科用冷却具を提供すること。【解決手段】  歯肉外側に位置する顔部分を覆う覆体１０と、覆体の顔面への位置を可動に付帯させる取付帯２０と、前記覆体１０内に収納される冷却体３０とからなり、前記覆体１０は前記冷却体を格納する袋状の格納部１８を備え、前記冷却体は袋状合成樹脂製で形成された密閉体内に水に１０〜１５％のエチルアルコールを混入した蓄冷材３５を密閉して収納して構成し、冷却体３０を冷凍しこれを砕いて覆体１０に入れて使用する。格納部１８は両面ファスナで小格納部に区分することができ、必要に応じて大きさの異なる冷却体３０を使用する。【選択図】  図１
2005237627.tif 000002
【特許請求の範囲】
【請求項１】
歯肉外側に位置する顔部分を覆う覆体と、該覆体をその顔面への位置を可動に付帯させる取付帯と、前記覆体内に収納される冷却体とからなり、前記覆体は前記冷却体を格納する袋状の格納部を備え、前記冷却体は袋状合成樹脂製で形成された密閉体内に水とアルコールとからなる蓄冷材を密閉して収納して構成したこと特徴とする歯科用冷却具。
【請求項２】
請求項１記載の歯科用冷却具において、前記取付帯は環状に形成され、前記取付帯には前記覆体が滑動可能に取り付けられていることを特徴とする歯科用冷却具。
【請求項３】
請求項１または請求項２に記載の歯科用冷却具において、前記覆体の格納部には格納部を複数の小格納部に区分け可能な区分け部材が設けられていると共に、前記冷却体は、前記小格納部に収納可能な大きさに形成されていることを特徴とする歯科用冷却具。
【請求項４】
請求項３の歯科用冷却具において、前記区分け部材は収納部内部に設けられた面ファスナであることを特徴とする歯科用冷却具。
【請求項５】
請求項１ないし請求項４のいずれかに記載の歯科用冷却具において、前記蓄冷材はアルコールが水に対して１０％から１５％（体積比）含有されているものであることを特徴とする歯科用冷却具。
【発明の詳細な説明】
【技術分野】
【０００１】
本発明は、歯科用冷却具に係り、特に歯肉を顔表面側から冷却する歯科用冷却具に関する。
【背景技術】
【０００２】
従来から、顔面を冷却する技術は公知となっている。例えば、特許文献１に開示される冷却具は、図７に示すように、アイマスク２００として次の構成を備える。すなわち、このアイマスク２００は、両眼と額とを覆う大きさであって、略長方形に形成された袋状の覆体２１０の中に冷却体２２０を出入自在に収納出来るように構成されている。そして、該覆体２１０にこれを顔に付帯させるためのバンド２３０を具えている。また、冷却体２２０は、保水性、吸水性のある好ましくはキトサンパルプからなる板体をジッパーで密封、開封自在なポリエチレン等防水性の樹脂製小袋の中に収納したもので構成される。
【０００３】
【特許文献１】実開平５−３９５２８号
【発明の開示】
【発明が解決しようとする課題】
【０００４】
しかし、上記特許文献１の冷却具は、アイマスクであるから、眼を冷やしすぎないように冷却剤として水を使用する。このため、歯肉痛や歯痛を緩和するための歯科用冷却具としては冷却力が不足するという問題がある。また、前記冷却具は、大きな冷却材を１つ収納するものであるため上下左右の歯肉を選択して冷却することができない他、冷却位置を変更することができず、歯科用としては十分な機能を有しないという不具合がある。
【０００５】
そこで、本発明は、歯科用の冷却具として、十分な冷却力を備え、冷却したい個所に的確に移動して使用でき、複数回にわたり使用することができる歯科用冷却具を提供することを目的とする。
【課題を解決するための手段】
【０００６】
前記課題を解決するため、本発明では、以下の手段を提供する。請求項１に記載の発明は、歯肉外側に位置する顔部分を覆う覆体と、覆体の顔面への位置を可動に付帯させる取付帯と、前記覆体内に収納される冷却体とからなり、前記覆体は前記冷却体を格納する袋状の格納部を備え、前記冷却体は袋状合成樹脂製で形成された密閉体内に水とアルコールとからなる蓄冷材を密閉して収納して構成したことを特徴とする歯科用冷却具である。
【０００７】
請求項２に記載の発明は、請求項１記載の歯科用冷却具において、前記取付帯は環状に形成され、前記取付帯には前記覆体が滑動可能に取り付けられていることを特徴とするものである。
【０００８】
請求項３に記載の発明は、請求項１または請求項２に記載の歯科用冷却具において、前記覆体の格納部には格納部を複数の小格納部に区分け可能な区分け部材が設けられていることを特徴とするものである。
【０００９】
請求項４に記載の発明は、請求項３の歯科用冷却具において、前記区分け部材は面ファスナであることを特徴とするものである。
【００１０】
請求項５に記載の発明は、請求項１ないし請求項４のいずれかに記載の歯科用冷却具において、前記蓄冷材はアルコールが水に対して１０％から１５％（体積比）含有されているものであることを特徴とするものである。なお、アルコールは、エチルアルコールを使用すると毒性が低く取り扱いが容易である。
【発明の効果】
【００１１】
本発明は、以上の手段を備える、次の効果を奏する。
請求項１に記載の発明によれば、覆体の袋状格納部は、取付帯により顔面への取付位置を可動となっているので、歯肉外側の顔部分の任意の個所に覆体を付帯させ歯肉を冷却させることができる。また、冷却体は袋状合成樹脂製で形成された密閉体内に水とアルコールとからなる蓄冷材を密閉して収納して構成しているので、冷却体を冷凍庫で冷却し、蓄冷材を冷凍させ、該冷凍された蓄冷材は手などで容易に粉砕でき、冷却体を顔に沿った自由な形に変形させることができ、冷却を効率よく行うことができる。また、冷却体は、冷凍庫で冷却することにより、溶解した蓄冷材を凍結させることができ、冷却体を多数回にわたり使用することができる
【００１２】
請求項２に記載の発明によれば、取付帯は環状に形成され、前記取付帯には前記覆体が滑動可能に取り付けられているので、覆体は顔の任意の位置に容易に付帯させることができ、また、位置調整に必要となる歯科用冷却具の構造は簡単なものとでき、製造コストを低減できる。
【００１３】
請求項３に記載の発明によれば、覆体の格納部は区分け部材により格納部で複数の小格納部に区分けでき、前記冷却体は、前記小格納部に収納可能な大きさであるから、冷却が必要な個所だけに冷却体を配置することができ、冷却が必要ない顔の部分を過度に冷却することがない。
【００１４】
請求項４に記載の発明によれば、前記区分け部材は収納部内部に設けた面ファスナであるから、区分けの操作は面ファスナを係合状態とすることだけで容易に行えるし、一方、区分けを行わないときには面ファスナをはずした状態にすることで容易に対応することができる。
【００１５】
請求項５に記載の発明によれば、畜冷材はエチルアルコールが水に対して１０％から１５％（体積比）含有するものとしているから、蓄冷材を民生用の冷凍庫で容易に凍結させることができ、また、凍結した畜冷体を容易に粉砕することができる。本発明者の試験によればアルコールの含有量は、１０％未満であると粉砕に力がいるし、また、アルコールが１５％を超えると通常の冷凍庫では凍結させることが難しいことが判明した。アルコール量を１０％から１５％とすると、凍結させ易く且つ粉砕しやすい蓄冷材を得ることができる。
【発明を実施するための最良の形態】
【００１６】
次に、発明の実施の形態を説明する。図１は本発明の一実施形態に係る歯科用冷却具の全体的な構成を示した斜視図、図２は図１に示した歯科用冷却具の覆体の表側部材を示す図であり、（ａ）は平面図、（ｂ）は（ａ）中のＡ−Ａ線に相当する断面図、図３は図１に示した歯科用冷却具の覆体の顔側部材を示す図であり、（ａ）は平面図、（ｂ）は（ａ）中のＢ−Ｂ線に相当する断面図、図４は図１に示した歯科用冷却具の冷却体を示す図であり、（ａ）は平面図、（ｂ）は（ａ）中のＣ−Ｃ線に相当する断面図、（ｃ）は（ａ）中のＤ−Ｄ線に相当する断面図、図５は図１に示した歯科用冷却具の覆体の第１の使用状態を示す図であり、（ａ）は平面図、（ｂ）は（ａ）中のＥ−Ｅ線に相当する断面図、図６は図１に示した歯科用冷却具の覆体の第２の使用状態を示す図であり、（ａ）は平面図、（ｂ）は（ａ）中のＦ−Ｆ線に相当する断面図、（ｃ）は（ａ）中のＨ−Ｈ線に相当する断面図である。
【００１７】
本例に係る歯科用冷却具１００は、図１に示すように、歯肉外側に位置する顔部分を覆う覆体１０と、覆体の顔面への位置を可動に付帯させる取付帯２０と、前記覆体内に収納される冷却体３０とからなる。前記覆体１０はガーゼ等の通気性のよい布体で形成され、図２及び図３に示すように、２枚の布体１１，１２を縫製加工して長方形状とした表側材１３と、同じく通気性のよい布体を縫製加工して長方形とした顔側材１４とからなる。
【００１８】
本例では、覆体１０は、表側材１３と顔側材１４を縫製加工して袋状の格納部１８を形成したものである。表側材１３は、図２に示すように、１枚の布材を折重ね、表布体１１，裏布体１２として縫製加工（縫い目を符号１５で示した）して略長方形に形成し、上下に前記取付帯２０を通す取付帯挿通部１７を形成し、上下２つの小格納部に区分けできる区分け部材である面ファスナ４０の一方面部材（例えばフック形成面部材）４１を２つ取り付けたものである。なお、覆体１０は、通気製のある部材であれば、ガーゼに限らず不織布、ネットその他の素材であってもよい。
【００１９】
また、顔側材１４は、図３に示すように格納部を複数の小格納部に区分け可能な区分け部材、布材を前記表側材１３と同様の長方形状に形成し、面ファスナ４０の他方面部材（例えばループ形成面部材）４１を前記一方部材４１に係脱可能な位置に取り付けたものである。
【００２０】
この状態において、本例では覆体１０の格納部１８は前記面ファスナ４０を係合した状態で上下２つの小格納部に区分けでき、面ファスナ４０の係合を解除した状態で大きな１つの格納部を形成することができる。
【００２１】
なお、区分け部材は、面ファスナに限らず、形脱可能で小格納部を形成できる物であれば、ボタン、ホック等どのような部材でもよい。また、区分け部材の数及び形成個所は限定されることはなく、格納部１８を３以上に分割するものであってもよいし、縦方向に区分するものであってもよい。
【００２２】
そして、本例では、表側材１３と顔側材１４とは縫製加工（縫い目を符号１６で示した）され、下部を閉じた袋状の格納部１８を備えるもとのしている。この状態において、前記取付帯挿通部１７には取付帯２０が挿通され、覆体１０は取付帯２０のどの位置にでも配置することができるようにしている。
【００２３】
前記冷却体３０は、図４に示すように、冷却体は合成樹脂製である塩化ビニルで形成されたシート３１を屈曲部３２で折り曲げ、３辺を熱溶着加工（図中符号３３）して密閉体となしつつ、該密閉体内に水とアルコールとからなる蓄冷材３５を密閉して収納して構成している。本例では、図５に示すように、前記面ファスナ４０を係合状態とし、格納部１８を小格納部に分割した場合であり、冷却体３０の大きさは、この小格納部に収納できる大きさとしている。なお、この蓄冷材の密閉体の材料は、冷却時に柔軟なものであれば他の素材でもよいし、製法は熱溶着以外の方法でもよい。
【００２４】
本例では、蓄冷材３５としてエチルアルコール（無水エタノール）を水（水道水）に１５％混合したものを使用した。このような材料を使用することにより、冷却体３０に入れた蓄冷材３５は、通常家庭で使用される冷凍庫内で凍結される。本発明者の実験によれば、本発明の冷却体３０は、通常の冷凍庫で一晩充分冷却したとき（冷凍庫の使用では、冷却温度は−１８°Ｃであった）した結果、表面温度が−１２．３°Ｃ（サーモグラフィで測定）に至った。なお、使用するアルコールは無害なエチルアルコールが望ましいが、他のアルコール類でも使用することができる。また使用する水は水道水でよく、さらに蒸留水などを使用することが望ましい。
【００２５】
また、この状態で、本例に係る冷却体３０は、手を用い蓄冷材を細かく砕き小粒状あるいはシャーベット状にすることができ、湾曲した唇周辺部や頬に密着させることができ、密着面を均等に冷却することができた。これは、アルコールの凝固点が水より低いため、氷が脆くなるためと考えられる。従って、エチルアルコールに限られず他のアルコール類を使用することができると考えられる。
【００２６】
なお、蓄冷材３５のエチルアルコールの含有量は、１０％から１５％の範囲で選択することができる。この場合、エチルアルコールの水に対する量が１０％未満であると氷が強固に固まり粉砕するのに力がいるし、また、アルコールが１５％を超えると通常の冷凍庫では凍結させることが難しいことが本発明者の実験で確認できた。
【００２７】
このようにして使用した冷却体３０は、蓄冷材３５が解凍して液状になった場合には、冷却体３０を冷凍庫に入れ、蓄冷材３５凍結させて何度でも使用することができる。
【００２８】
また、冷却する顔面の面積を広くしたい場合は、図６に示すように前記面ファスナ４０を係合解放状態とし、格納部１８を広いものとして、冷却体５０の大きさを、格納部１８
に収納できる大きさとすればよい。
【００２９】
以上説明したように、本実施の形態に係る歯科用冷却具によれば、以下の効果を奏する。覆体の袋状格納部は、取付帯により顔面への取付位置をかえることができ、歯肉外側の顔部分の任意の個所に覆体を付帯させ歯肉を冷却させることができる。冷却体を冷凍庫で冷却し、蓄冷材を冷凍させ、該冷凍された蓄冷材は手などで容易に粉砕でき、冷却体を顔に沿った自由な形に変形させることができ、冷却を効率よく行うことができる。冷却体は、冷凍庫で冷却することにより、溶解した蓄冷材を凍結させることができ、冷却体を複数回にわたり使用することができる。覆体は、ガーゼで構成されているため、その外観が衛生マスクに類似するため、歯科用冷却具を装着していても目立つことがない。位置調整に必要となる歯科用冷却具の構造は簡単なものとでき、製造コストを低減できる。覆体の格納部は区分け部材により格納部で複数の小格納部に区分けでき、前記冷却体は、前記小格納部に収納可能な大きさであるから、冷却が必要な個所だけに冷却体を配置することができ、冷却が必要ない顔の部分を過度に冷却することがない。区分け部材は面ファスナであるから、区分けの操作は面ファスナを係合状態とすることだけで容易に行える、一方、区分けを行わないときには面ファスナをはずした状態にすることで容易に対応することができる。畜冷材はエチルアルコールを水に対して１０％から１５％（体積比）含有するものとしているから、蓄冷材を民生用の冷凍庫で容易に凍結させることができ、また、凍結した畜冷体を容易に粉砕することができる。エチルアルコールを使用しているから、毒性が少なく取扱が容易である。
【図面の簡単な説明】
【００３０】
【図１】本発明の一実施形態に係る歯科用冷却具の全体的な構成を示した斜視図である。
【図２】図１に示した歯科用冷却具の覆体の表側部材を示す図であり、（ａ）は平面図、（ｂ）は（ａ）中のＡ−Ａ線に相当する断面図である。
【図３】図１に示した歯科用冷却具の覆体の顔側部材を示す図であり、（ａ）は平面図、（ｂ）は（ａ）中のＢ−Ｂ線に相当する断面図である。
【図４】図１に示した歯科用冷却具の冷却体を示す図であり、（ａ）は平面図、（ｂ）は（ａ）中のＣ−Ｃ線に相当する断面図、（ｃ）はＤ−Ｄ線に相当する断面図である。
【図５】図１に示した歯科用冷却具の覆体の第１の使用状態を示す図であり、（ａ）は平面図、（ｂ）は（ａ）中のＥ−Ｅ線に相当する断面図、（ｃ）は（ａ）中Ｆ−Ｆ線に相当する断面図である。
【図６】図１に示した歯科用冷却具の覆体の第２の使用状態を示す図であり、（ａ）は平面図、（ｂ）は（ａ）中のＧ−Ｇ線に相当する断面図、（ｃ）は（ａ）中のＨ−Ｈ線に相当する断面図である。
【図７】従来の冷却具であるアイマスクを示す斜視図である。
【符号の説明】
【００３１】
１０  覆体
１１  表布体
１２  裏布体
１３  表側材
１４  顔側材
１５  縫い目
１６  縫い目
１７  取付帯挿通部
１８  格納部
２０  取付帯
３０  冷却体
３０  蓄冷材
３１  シート
３２  屈曲部
３５  蓄冷材
４０  面ファスナ
４１  一方部材
４２  他方部材
５０  冷却体
１００  歯科用冷却具
【図１】
2005237627.tif 000003
【図２】
2005237627.tif 000004
【図３】
2005237627.tif 000005
【図４】
2005237627.tif 000006
【図５】
2005237627.tif 000007
【図６】
2005237627.tif 000008
【図７】
2005237627.tif 000009